(57)【要約】【課題】回路基板に作用する悪影響を低減することができる電子装置を提供すること。【解決手段】回路基板５０と、回路基板５０に電気的に接合され回路基板５０と外部装置とを電気的に接続するためのコネクタ３０と、回路基板５０、コネクタ３０の少なくとも一部を収納する筐体（ベース１０、カバー２０）と、筐体（ベース１０、カバー２０）とコネクタ３０との間に設けられるものであり筐体（ベース１０、カバー２０）及びコネクタ３０から圧縮されることによって筐体（ベース１０、カバー２０）とコネクタ３０間をシールするシール材６０と、筐体（ベース１０、カバー２０）の内部に設けられるものであり回路基板５０を保持するゴム部材７０とを備える。【選択図】図５
2008060465.tif 000002
【特許請求の範囲】
【請求項１】
回路基板と、
前記回路基板に電気的に接合され、当該回路基板と外部とを電気的に接続するためのコネクタと、
前記回路基板、前記コネクタの少なくとも一部を収納するものであり、前記回路基板が取付けられるベースと、前記回路基板と前記コネクタの少なくとも一部を覆うカバーとからなる筐体と、
前記ベースと前記コネクタとの間、前記カバーと前記コネクタとの間、前記ベースと前記カバーとの間に設けられるものであり、当該ベースと当該カバーと当該コネクタから圧縮されることによって当該ベースと当該コネクタとの間、当該カバーと当該コネクタとの間、当該ベースと当該カバーとの間をシールするシール材と、
前記筐体の内部に設けられるものであり、前記回路基板を保持する弾性部材からなる基板保持部と、
を備えることを特徴とする電子装置。
【請求項２】
前記基板保持部は、ゴム部材からなることを特徴とする請求項１に記載の電子装置。
【請求項３】
前記基板保持部は、バネ部材からなることを特徴とする請求項１に記載の電子装置。
【請求項４】
前記基板保持部は、前記シール材と同一の部材からなることを特徴とする請求項１に記載の電子装置。
【請求項５】
前記基板保持部は、弾性率が１０Ｍｐａ以下であることを特徴とする請求項１乃至請求項４のいずれかに記載の電子装置。
【請求項６】
前記基板保持部は、前記ベースに設けられるものであり、前記カバーは、前記回路基板を前記基板保持部に押え付ける押え部材を備えることを特徴とする請求項１乃至請求項５のいずれかに記載の電子装置。
【請求項７】
前記押え部材は、ゴム部材からなることを特徴とする請求項６に記載の電子装置。
【請求項８】
前記押え部材は、バネ部材からなることを特徴とする請求項６に記載の電子装置。
【請求項９】
前記押え部材は、前記シール材と同一の部材からなることを特徴とする請求項６に記載の電子装置。
【請求項１０】
前記押え部材は、弾性率が１０Ｍｐａ以下であることを特徴とする請求項６乃至請求項９のいずれかに記載の電子装置。
【請求項１１】
前記圧縮時の前記基板保持部の変形量と、前記コネクタと前記ベースとの間に配置される前記シール材の変形量とを略同一とすることを特徴とする請求項６乃至請求項１０のいずれかに記載の電子装置。
【請求項１２】
前記圧縮時の前記押え部材の変形量と、前記コネクタと前記ケースとの間に配置される前記シール材の変形量とを略同一とすることを特徴とする請求項６乃至請求項１１のいずれかに記載の電子装置。
【請求項１３】
前記基板保持部は、前記回路基板を前記筐体の内部で略平行な状態で保持することを特徴とする請求項１乃至請求項１２のいずれかに記載の電子装置。
【請求項１４】
前記シール材は、ＣＩＰＧシール方式に用いられるシール材料からなるものであることを特徴とする請求項１乃至請求項１３のいずれかに記載の電子装置。
【請求項１５】
前記シール材は、ゴムパッキンからなるものであることを特徴とする請求項１乃至請求項１３のいずれかに記載の電子装置。
【発明の詳細な説明】
【技術分野】
【０００１】
本発明は、３次元シール構造の電子装置に関するものである。
【背景技術】
【０００２】
従来、３次元シール構造の電子装置として特許文献１に示すものがあった。
【０００３】
特許文献１に示す電子装置は、コネクタが設けられた回路基板と、回路基板を取付けるためのベースと、ベースに取付けられた回路基板を覆うカバーとを備える。
【０００４】
回路基板は、トランジスタ、コンデンサ、半導体ＩＣなどの電子部品、及びコネクタが実装されている。コネクタは、周囲（四辺）にシール溝が形成されたコネクタケース、端子ピンなどを備える。ベースは、略四角形状をなす底板の四辺に立設された周壁、周壁の一片に突出して設けられた突堤、底板から突出した台座などを備える。カバーは、略四角形状をなす上面部の三辺に設けられたフランジ部、残りの一辺に形成されたコネクタ嵌合開口部などを備える。
【０００５】
そして、特許文献１に示す電子装置は、カバーに形成された三辺のフランジ部とそのフランジ部に当接するベースの三辺の周壁端面との間に防水用のシール材（シリコーン接着材、ゴムパッキンなど）を設けると共に、コネクタのシール溝とベースの突堤との間にシール材（シリコーン接着材、ゴムパッキンなど）を設け、これら各シール材により３次元的にシールされるものである。
【特許文献１】特開２００３−２５８４５４号公報
【発明の開示】
【発明が解決しようとする課題】
【０００６】
しかしながら、特許文献１に示す電子装置において、シール材としてシリコーン接着材を用いた場合、そのシリコーン接着材が一度固まると筐体（カバー、ベース）、及びコネクタを分解するのが困難となる。したがって、筐体（カバー、ベース）、及びコネクタをシリコーン接着剤で固定して熱試験などを行った後に目視での筐体内の検査ができなくなったり、回路素子の付け替え等ができなくなったりしてしまう。
【０００７】
また、特許文献１に示す電子装置において、シール材としてゴムパッキンを用いたり、シールした後でも容易に分解可能なＣＩＰＧ（Cured In Place Gasket）シール方式を用いたりした場合は、一度シールした後でも筐体（カバー、ベース）、及びコネクタを分解することができる。このゴムパッキンによるシールやＣＩＰＧシール方式によるシールは、シール材に圧縮力を加えることで、筐体（カバー、ベース）、及びコネクタ間のシール性を確保するものである。すなわち、ゴムパッキンやＣＩＰＧシール方式に用いるシール材は、硬化・接着なしで防水性と分解性を両立できるものである。
【０００８】
シリコーン接着材にてシールする場合、シリコーン接着材は、未硬化状態ではゲル状であり自由に変形でき、シリコーン接着材に圧縮力をあまり加えなくても接着可能である。これに対してゴムパッキンやＣＩＰＧシール方式に用いるシール材にてシールする場合、ゴムパッキンやＣＩＰＧシール方式に用いるシール材は、圧縮力によって変形するだけである。したがって、シール材に対する圧縮力が弱いと防水性が低下し、逆に圧縮力が強すぎると回路基板に応力が作用する可能性がある。また、回路基板と台座との間に隙間が生じる可能性がある。このように、回路基板と台座との間に隙間が生じると、回路基板の耐震性が低下したり、シール材を圧縮する際などに回路基板とコネクタとの接合部、回路基板と電子部品との接合部などに応力が作用しやすくなったりする。
【０００９】
本発明は、上記問題点に鑑みなされたものであり、回路基板に作用する悪影響を低減することができる電子装置を提供することを目的とする。
【課題を解決するための手段】
【００１０】
上記目的を達成するために請求項１に記載の電子装置は、回路基板と、回路基板に電気的に接合され回路基板と外部とを電気的に接続するためのコネクタと、回路基板、コネクタの少なくとも一部を収納するものであり、回路基板が取付けられるベースと、回路基板とコネクタの少なくとも一部を覆うカバーとからなる筐体と、ベースとコネクタとの間、カバーとコネクタとの間、ベースとカバーとの間に設けられるものであり、ベースとカバーとコネクタから圧縮されることによってベースとコネクタとの間、カバーとコネクタとの間、ベースとカバーとの間をシールするシール材と、筐体の内部に設けられるものであり、回路基板を保持する弾性部材からなる基板保持部とを備えることを特徴とするものである。
【００１１】
このように、回路基板を筐体の内部で保持する弾性部材からなる基板保持部を備えることによって、耐震性を向上させることができると共に、シール材を圧縮する際にも回路基板の変形を低減することができる。また、変形による回路基板の歪みを低減することができるので、シール材を圧縮する圧縮力を強くすることができ防水性も向上させることができる。さらに、圧縮されることによって筐体とコネクタ間をシールするシール材を用いるので、筐体とコネクタとをシールした後であっても分解することが可能である。
【００１２】
また、基板保持部は、請求項２乃至請求項４に示すように、ゴム部材、バネ部材、もしくはシール材と同一の部材とすることができる。
【００１３】
たとえば、請求項２に示すようにゴム部材を基板保持部とした場合は、容易に圧縮変形が可能であるとともに、事前に加工したうえで設置することができるため、回路基板の筐体の底面からの高さを正確に制御することができる。また、ゴム部材を任意の厚みとすることにより、シール材を圧縮することによって回路基板に作用する応力も制御することができる。
【００１４】
また、請求項３に示すようにバネ部材を基板保持部とした場合は、容易に圧縮変形が可能であるとともに、ゴムなどの樹脂材料と異なり電子装置使用時の温度環境変化による材料劣化を防止して回路基板を保持する機能を長期間発揮することができる。
【００１５】
また、請求項４に示すようにシール材と同一の部材を基板保持部とした場合は、容易に圧縮変形が可能であるとともに、コネクタと筐体間をシールしている材料と同一であるので、経時変形や、シール時に作用する圧縮力をシール材と略同一とすることができる。
【００１６】
また、基板保持部は、請求項５に示すように、弾性率が１０Ｍｐａ以下であると好ましい。このようにすることによって、基板保持部は、回路基板の弾性率と比較して著しく低い弾性率により回路基板を押さえるため、回路基板に作用する応力を低減することができる。
【００１７】
また、請求項６に示すように、基板保持部は、ベースに設けられるものであり、カバーは、回路基板を基板保持部に押え付ける押え部材を備えるようにすることによって、耐震性を向上させる事ができて好ましい。
【００１８】
なお、請求項７乃至請求項９の制御装置での作用・効果に関しては、上述の請求項２乃至請求項４と同様であるため説明を省略する。
【００１９】
また、押え部材は、請求項１０に示すように、弾性率が１０Ｍｐａ以下であると好ましい。このようにすることによって、押え部材は、回路基板の弾性率と比較して著しく低い弾性率により回路基板を押さえるため、回路基板に作用する応力を低減することができる。
【００２０】
また、請求項１１に示すように、圧縮時の基板保持部の変形量と、コネクタとベースとの間に配置されるシール材の変形量とを略同一とすることによって、回路基板に作用する応力を低減することができて好ましい。
【００２１】
また、請求項１２に示すように、圧縮時の押え部材の変形量と、コネクタとカバーとの間に配置されるシール材の変形量とを略同一とすることによっても、回路基板に作用する応力を低減することができて好ましい。
【００２２】
また、請求項１３に示すように、基板保持部は、回路基板を筐体の内部で略平行な状態で保持することによって、回路基板に作用する応力をより一層低減することができて好ましい。
【００２３】
また、シール材は、請求項１４又は請求項１５に示すように、ＣＩＰＧシール方式に用いられるシール材料もしくはゴムパッキンとすることができる。
【発明を実施するための最良の形態】
【００２４】
以下、本発明の実施の形態を図に基づいて説明する。
【００２５】
図１は、本発明の実施の形態における電子装置の概略構成を示す斜視図である。図２は、本発明の実施の形態における電子装置の概略構成を示す平面図である。図３は、本発明の実施の形態における電子装置の概略構成を示す図２のＡＡ断面図である。図４は、本発明の実施の形態における電子装置の概略構成を示す分解図である。図５は、本発明の実施の形態における電子装置の概略構成を示す図１のＢＢ断面図である。
【００２６】
図１に示すように、本実施の形態における電子装置１００は、筐体（ベース１０、カバー２０）、コネクタ３０などを備える。
【００２７】
筐体は、図３、図４などに示すように、例えばアルミニウム、鉄等の金属材料や合成樹脂材料からなり、一方が開放された略四角形の箱状のベース１０（下筐体）と、ベース１０の開放面を閉塞する略四角形の箱状のカバー２０（上筐体）とにより構成される。そして、ベース１０とカバー２０とでコネクタ３０をはさみ込み、ベース１０とカバー２０とコネクタ３０とをシール材６０を介して組み付けることで、回路基板５０を収容する内部空間を有した分解可能な防水筐体を構成する。また、筐体を構成するベース１０及びカバー２０は、アルミダイキャスト成形や合成樹脂材料の射出成形などによって形成される。
【００２８】
ベース１０は、図２、図３などに示すように、外縁部の全周に渡って、後ほど説明するカバー２０の押圧部２１及びコネクタ３０に形成されたシール材６０に対応する位置に溝部１４が形成されており、その溝部１４に後ほど説明するシール材６０が形成されている。また、ベース１０は、外縁部の四隅にネジ４０によってカバー２０と固定するためのネジ穴１３が形成されている。また、ベース１０は、被取付体に電子装置をネジ止めするためのネジ穴１２を有する取付部１１が外縁部から突出して形成されている。
【００２９】
また、ベース１０は、コネクタ３０が接合された回路基板５０が取付けられるものである。そして、ベース１０は、図３に示すように、回路基板５０の搭載面である座面１５、及びベース１０の底面と略平行となるように回路基板５０を保持するゴム部材７０（基板保持部）が設けられる。すなわち、ゴム部材７０は、溝部１４にシール材６０が形成された状態のベース１０に、コネクタ３０が接合された回路基板５０を取付けた際に、ベース１０の底面と略平行となるように回路基板５０を保持する高さとしている。
【００３０】
なお、回路基板５０は、プリント基板に図示されないスルーホール、ランド、配線パターンや、配線パターン間を接続するビアホール等を形成し、マイコン、抵抗、コンデンサ等の電子部品が実装される。また、回路基板５０には、図３などに示すように、回路基板５０に形成されるスルーホール（図示省略）に端子３２が挿入された状態でコネクタ３０が接合される。なお、回路基板５０を構成するプリント基板の材料としては、特に限定されるものではない。例えば、熱可塑性樹脂、熱硬化性樹脂、セラミック、ガラス（例えばガラス布）と樹脂との複合体等の公知材料を採用することができる。
【００３１】
カバー２０は、図４に示すように、コネクタ３０を挟み込むためのコネクタ開口部２３を備える。このコネクタ開口部２３は、コネクタ３０の外形に対応した形状をなすものである。また、カバー２０は、図４に示すように、開口端部（開口部のベース１０側端部）にシール材６０を押圧する押圧部２１、及び回路基板５０をゴム部材７０に押え付けて耐震性を向上させる押え部材８０を備える。すなわち、回路基板５０をゴム部材７０と押さえ部材８０とで押さえ込むことによって、耐震性を向上させることができるものである。また、押さえ部材８０は、ゴム部材７０と同様に、組み付け時もしくは使用時において、回路基板５０をベース１０の底面と略平行となるようにする効果も奏するものである。
【００３２】
また、カバー２０は、外縁部の四隅にネジ４０によってベース１０と固定するためのネジ穴１３に対応するネジ穴（図示省略）が形成されている。さらに、カバー２０は、図１に示すように、ベース１０，カバー２０，コネクタ３０で囲まれた回路基板５０を収容する内部空間と、ベース１０，カバー２０，コネクタ３０の外部との間で気体を通す防水フィルタ２２を備える。なお、この防水フィルタ２２は、特に限定されるものではなく、例えば本出願人による特開２００６−５１６２号公報に記載のフィルタなどを採用することができる。
【００３３】
コネクタ３０は、回路基板５０と外部装置とを電気的に接続するものである。コネクタ３０は、図１などに示すように、回路基板５０に電気的に接続される導電性材料（例えば黄銅を金属メッキ）からなる複数の端子３２と、その端子３２の一部分が埋設された絶縁材料（例えば合成樹脂）からなるハウジング３１を備える。コネクタ３０は、ハウジング３１の外形に対応した金型内に端子３２をインサートして絶縁材料によりインサート成形するなどによって形成される。このハウジング３１は、図２、図３などに示すように、ハウジング３１の周囲面のベース１０のシール材６０及びカバー２０の押圧部２１に対応する位置に溝（図示省略）が設けられ、この溝にシール材６０が形成されている。なお、この溝は、カバー２０の押圧部２１に対応する位置にのみ設けるようにしてもよい。
【００３４】
ベース１０，カバー２０，コネクタ３０をシールする防水用のシール材６０は、ＣＩＰＧ（Cured In Place Gasket）シール方式に適用可能であり、加熱や紫外線照射などによって硬化、すなわちゴム状となるものである。このシール材６０は、ベース１０，カバー２０，コネクタ３０から圧縮力を加えられること、言い換えると、ベース１０，カバー２０，コネクタ３０に対して圧縮力を加ええることによって、ベース１０，カバー２０，コネクタ３０をシールするものである。さらに、このシール材６０は、圧縮力を利用することによってベース１０、カバー２０、コネクタ３０をシールすると共に、一旦シールした後で分解可能とすることができるものである。
【００３５】
シール材６０の材料としては、例えば、１００℃前後加熱により発泡し加熱時間が比較的短く比較的柔らかい発泡シリコーン、ＵＶにより硬化するアクリル、１２０℃前後で加熱硬化し加熱時間が比較的長いがシリコーンゴムの物性を持つシリコーン（ソリッド）、空気を混ぜた材料を８０℃程度で硬化させるタイプ及び加熱により発泡させるタイプの発泡ウレタンなどを用いることができる。
【００３６】
ここで、電子装置１００の製造方法に関して説明する。まず、ベース１０の溝部１４にディスペンサ（図示省略）などを用いてシール材６０を塗布する。シール材６０の塗布厚（シール材６０の厚み）は、ディスペンサの吐出圧、ニードルの移動スピードなどによって塗布中に所定の厚みに調整する。すなわち、シール材６０は、ベース１０，カバー２０，コネクタ３０の組み立て後には圧縮されるために、塗布厚はその圧縮を見込んで溝部１４の深さよりも厚めとする。そして、ベース１０の溝部１４に塗布したシール材６０に加熱、もしくは紫外線を照射することによってシール材６０を硬化する。
【００３７】
次に、硬化したシール材６０を備えるベース１０上に、コネクタ３０が接合された回路基板５０を取付ける。この時、コネクタ３０は、ベース１０に形成されたシール材６０上に載置され、回路基板５０は、ゴム部材７０上に載置されることとなる。そして、回路基板５０は、このゴム部材７０によってベース１０の底面と略平行となるように保持される。すなわち、回路基板５０の表面（カバー２０側の面）の高さとシール材６０の頂点部の高さとが略同一となる。このため回路基板５０を傾斜させずにベース１０に設置することができる。
【００３８】
次に、図３などに示すように、回路基板５０に接合されたコネクタ３０（ハウジング３１）の溝にもベース１０に塗布した場合と同様にしてディスペンサ（図示省略）などを用いてシール材６０を塗布する。シール材６０の塗布厚（シール材６０の厚み）は、ディスペンサの吐出圧、ニードルの移動スピードなどによって塗布中に所定の厚みに調整する。すなわち、シール材６０は、ベース１０，カバー２０，コネクタ３０の組み立て後には圧縮されるために、塗布厚はその圧縮を見込んで溝の深さよりも厚めとする。そして、コネクタ３０（ハウジング３１）の溝に塗布したシール材６０に加熱、もしくは紫外線を照射することによってシール材６０を硬化する。
【００３９】
そして、図４に示すように、ベース１０、コネクタ３０、及び回路基板５０上にカバー２０を被せる。そして、ベース１０とカバー２０とをネジ４０によってネジ止めすることによってシール材６０への圧縮力を発生させるとともに固定を行う。この時、回路基板５０は、コネクタ３０がカバー２０によってベース１０側に押し付けられると共に、回路基板５０自身が押え部材８０によってベース１０側に押し付けられることによってベース１０側に押し付けられる。そして、回路基板５０は、ゴム部材７０によって保持された状態で座面１５まで略平行に押下される。なお、回路基板５０は、ゴム部材７０によって保持されているため、座面１５に接触しなくてもよい。すなわち、回路基板５０は、座面１５及びゴム部材７０の両方もしくは少なくとも一方に保持されていればよい。
【００４０】
このようにして、製造された電子装置１００は、図５に示すように、シール材６０がベース１０、カバー２０、コネクタ３０によって圧縮され、回路基板５０が押え部材８０と座面１５（ゴム部材７０）に保持された状態でシールされている。
【００４１】
ここで、このゴム部材７０がなかった場合を考える。図８は、比較例における電子装置の概略構成を示す断面図である。すなわち、図８は、図３に対応する図面であり、ゴム部材７０を設けない場合の図面である。図８に示すように、ゴム部材７０を設けない場合、硬化したシール材６０を備えるベース１０上に、コネクタ３０が接合された回路基板５０を取付けると、シール材６０によって回路基板５０と座面１５との間に隙間が生じ、回路基板５０が傾斜して取付けられる。
【００４２】
このような状態では、回路基板５０の耐震性が低下する。また、この状態でカバー２０を被せて、ベース１０とカバー２０とをネジ４０によってネジ止めすることによってシール材６０への圧縮力を発生させると、回路基板５０が変形してコネクタ３０との接合部や電子部品との接合部などに応力（歪み）が作用しやすくなる。
【００４３】
このような不具合を解決するために、シール材６０の押し込み量（圧縮量）を見込んでベース１０の座面１５の高さを設計することも考えられる。しかしながら、シール材６０の押し込み量（圧縮量）は、シール材６０の塗布量及び加圧量、製品使用中の筐体（ベース１０、カバー２０）及びシール材６０の経時変形など様々な要因にて変動する。したがって、ベース１０の座面１５の高さを正確に見積もることは非常に困難である。
【００４４】
しかしながら、本発明の実施の形態においては、回路基板５０を保持するゴム部材７０を設けることによって、耐震性を向上させることができると共に、シール材６０を圧縮する際にも回路基板５０に作用する応力（歪み）を低減することができ電子装置の信頼性を向上させることができる。また、これによって、シール材６０を圧縮する圧縮力を強くすることができ防水性も向上させることができる。
【００４５】
また、ゴム部材７０は、容易に圧縮変形が可能であるので好ましい。また、ゴム部材７０は、事前に加工したうえで設置することができるため、回路基板５０のベース１０の底面からの高さを正確に制御することができる。また、ゴム部材７０を任意の厚みとすることにより、シール材６０を圧縮することによって回路基板５０に作用する応力も制御することができる。
【００４６】
なお、回路基板５０を保持する部材は、ゴム部材７０に限定されるものではない。シール材６０への圧縮力を発生させる際に、すなわち、ベース１０、カバー２０、コネクタ３０をシールする際に、回路基板５０を保持して圧縮変形可能な弾性部材であれば、本発明の目的を達成できるものである。
【００４７】
例えば、図６に示すように、回路基板５０を保持するゴム部材７０のかわりにシール材６０と同一の部材（シール材７１）を用いるようにしてもよい。図６は、本発明の実施の形態の変形例１における電子装置の概略構成を示す断面図である。シール材７１に関しても、容易に圧縮変形が可能である。また、シール材６０と同一の部材（シール材７１）で回路基板５０を保持する場合は、コネクタ３０と筐体（ベース１０、カバー２０）間をシールしている材料と同一であるので、経時変形や、シール時（圧縮時）に作用する圧縮力をシール材６０と略同一とすることができる。
【００４８】
また、図７に示すように、回路基板５０を保持するゴム部材７０もしくはシール材７１のかわりにバネ部材７２を用いるようにしてもよい。図７は、本発明の実施の形態の変形例２における電子装置の概略構成を示す断面図である。バネ部材７２に関しても、容易に圧縮変形が可能である。また、バネ部材７２は、ゴム部材７０やシール材７１などの樹脂材料と異なり電子装置使用時の温度環境変化による材料劣化を防止して回路基板５０を保持する機能を長期間発揮することができる。
【００４９】
なお、押え部材８０に関しても、シール材６０への圧縮力を発生させる際に、すなわち、ベース１０、カバー２０、コネクタ３０をシールする際に、回路基板５０を抑えつけて圧縮変形可能な弾性部材であれば、本発明の目的を達成できるものである。従って、上述のようなシール材６０と同等の部材やバネ部材を用いることができる。
【００５０】
また、本実施の形態においても、ベース１０とカバー２０とをネジ４０によってネジ止めすることによってシール材６０への圧縮力を発生させる際に、回路基板５０にゴム部材７０などの反発力が作用することも考えられる。通常、回路基板５０の弾性率は、２０ＧＰａ程度である。そこで、ゴム部材７０（シール材７１、バネ部材７２）及び押え部材８０の両方もしくは一方の弾性率を１０ＭＰａ以下、すなわち、回路基板の弾性率と比較して著しく低い弾性率にすることによって、より一層回路基板５０に作用する応力を低減することができる。
【００５１】
また、シール材６０を圧縮したときのゴム部材７０（シール材７１、バネ部材７２）の変形量と、コネクタ３０とベース１０との間に配置されるシール材６０の変形量とを略同一とすることによって、回路基板５０に作用する応力を低減することができて好ましい。
【００５２】
また、シール材６０を圧縮したときの押え部材８０の変形量と、コネクタ３０とカバー２０との間に配置されるシール材６０の変形量とを略同一とすることによっても、回路基板５０に作用する応力を低減することができて好ましい。
【００５３】
なお、近年、車両の居住空間の拡大に伴い、エンジンＥＣＵの搭載スペースは従来の車室内搭載からエンジンルーム搭載へと推移し、エンジンＥＣＵの防水性の要求が向上している。これに対してエンジンＥＣＵでは安定したシール性を確保するために、接着（強固に部材間を固定）による防水技術が主流であり、実用化されている。しかし、このような接着は安定したシール性を有する代わりに、一度接着すると分解できないものであった。
【００５４】
一方、エンジンＥＣＵにおいては、回路基板などの電子部品を筐体（ケース、カバー）に収納しシールした状態で熱試験などを行い、その後に目視での筐体内の検査を行ったり、回路基板に実装される回路素子の付け替え等を行ったりしたいという要望もある。従って、本実施の形態における電子装置１００は、上述のような効果を有するため、エンジンＥＣＵに適用して好適なものである。
【図面の簡単な説明】
【００５５】
【図１】本発明の実施の形態における電子装置の概略構成を示す斜視図である。
【図２】本発明の実施の形態における電子装置の概略構成を示す平面図である。
【図３】本発明の実施の形態における電子装置の概略構成を示す図２のＡＡ断面図である。
【図４】本発明の実施の形態における電子装置の概略構成を示す分解図である。
【図５】本発明の実施の形態における電子装置の概略構成を示す図１のＢＢ断面図である。
【図６】本発明の実施の形態の変形例１における電子装置の概略構成を示す断面図である。
【図７】本発明の実施の形態の変形例２における電子装置の概略構成を示す断面図である。
【図８】比較例における電子装置の概略構成を示す断面図である。
【符号の説明】
【００５６】
１０  ベース、１１  取付部、１２  ネジ穴、１３  ネジ穴、１４  溝部、１５  座面、２０  カバー、２１  押圧部、２２  フィルタ、２３  コネクタ開口部、３０  コネクタ、３１  ハウジング、３２  端子、４０  ネジ、５０  回路基板、６０  シール材、７０  ゴム部材（基板保持部）、７１  シール材（基板保持部）、７２  バネ部材（基板保持部）、８０  押え部材、１００  電子装置
【図１】
2008060465.tif 000003
【図２】
2008060465.tif 000004
【図３】
2008060465.tif 000005
【図４】
2008060465.tif 000006
【図５】
2008060465.tif 000007
【図６】
2008060465.tif 000008
【図７】
2008060465.tif 000009
【図８】
2008060465.tif 000010